(57)【要約】【課題】本発明では、大きなペン体の採用を可能とし、回転操作を行うことなくペン先の没入を行うことができる回転出没式万年筆を得る。【解決手段】尾冠の回転操作により筆記体を前進させて回転筒を回転させ、回転筒の窓部の前方に前軸部材の底面が位置して軸筒本体の前方が閉塞された状態から、回転筒の窓部の前方に前軸部材の窓部が位置して軸筒本体の前方が開放された状態とし、尾冠のさらなる回転により、筆記体の摺動突起に摺動する摺動溝の直線溝により回転筒を回転させることなく、筆記体を前進させてペン先を回転筒の窓部および前軸部材の窓部より突出させ、押圧体のカム突起をカム筒のカム溝に設けた保持溝へ係止させることにより、ペン先を軸筒本体から突出させた状態を維持する構造の回転出没式万年筆とする。【選択図】図１
2018099794.tif 000002
【特許請求の範囲】
【請求項１】
軸筒本体の前方より筆記体のペン先が出没する回転出没式万年筆であって、
軸筒本体の後方部に操作部である尾冠を配して軸筒を構成し、
前記軸筒本体が、前方に底面を有する有底筒形状の前軸部材と前方に底面を有する回転筒とを備え、当該前軸部材の底面と当該回転筒の底面とが隣接し、当該前軸部材の底面と当該回転筒の底面とに窓部がそれぞれ設けられ、且つ当該回転筒の側面には、螺旋溝と、その前方で連接させた軸心に沿って延びる直線溝とからなる摺動溝が設けられ、当該摺動溝に前記筆記体に設けた摺動突起が遊嵌され、前記筆記体に設けたガイド突起を軸筒本体の内面に形成したスライド溝へ遊嵌させて当該筆記体を回転不能で前後動可能にし、
前記尾冠が内部に螺旋状のカム溝を有し、且つ該尾冠と一体で回転可能に当該尾冠へ装着したカム筒を配し、前記カム筒の内部に前記カム溝と前記尾冠に形成した軸心に沿った方向のスリットとに遊嵌するカム突起を有した押圧体を配し、前記押圧体を前記軸筒本体内に配設した弾性体により前記筆記体を介して後方へ弾発し、
前記尾冠を回転操作して前記カム筒を回転させることにより、前記カム突起を前記カム溝および前記スリットにて前進させると共に、前記押圧体の前方部に当接した筆記体を前記弾性体の弾発力に抗して前進させ、同時に前進された当該筆記体の摺動突起に摺動する摺動溝の螺旋溝により前記回転筒を回転させ、当該回転筒の窓部の前方に前記前軸部材の底面が位置して前記軸筒本体の前方が閉塞された状態から、当該回転筒の窓部の前方に当該前軸部材の窓部が位置して当該軸筒本体の前方が開放された状態とし、前記尾冠のさらなる回転により、当該筆記体の摺動突起に摺動する摺動溝の直線溝により前記回転筒を回転させることなく、当該筆記体を前進させて前記ペン先を当該回転筒の窓部および当該前軸部材の窓部より突出させ、前記押圧体のカム突起を前記カム筒のカム溝に設けた保持溝へ係止させることにより、当該ペン先を当該軸筒本体から突出させた状態を維持する構造の回転出没式万年筆。
【発明の詳細な説明】
【技術分野】
【０００１】
本発明は、軸筒本体の前方よりペン先が出没する回転出没式万年筆に関する。
【背景技術】
【０００２】
従来、インキ乾燥防止や筆記先端部の保護を目的としての機能を有する筆記具は知られており、特に軸筒とは別体であるキャップを備えたキャップ式の筆記具は一般的である。
【０００３】
また、キャップを省略できる構造としては、特許文献１（特開２００７−３２０２０９号公報）に、軸筒本体に対して尾冠を回転操作することにより、軸筒本体の前方部をバネで弾発して閉塞する蓋体を開閉しながらペン先を出没させる構造の万年筆が開示されている。引用文献１の構造は、蓋体をペン先が押して開放する構造であることから、ペン先に負担が掛からぬよう、あるいはその反対にペン先で蓋体を傷付けて気密性が悪くならぬよう、蓋体を弾発するバネの力を設定する必要があり、気密性との関係で相反する状況が存在している。また、蓋体や当該蓋体を閉塞するバネを必要とすることから、軸筒本体の前方の内部の空間が狭くなり、大きなペン体を採用することには向いていない。
【０００４】
これに対し、特許文献２（特開２００６−１０３３３３号公報）には、半円形状の固定壁を前方に有した外部管状ハウジングに、同じく半円形状の可動壁を前方に有した内部管状ハウジングを挿着して、内部管状ハウジングを回転させることで固定壁と可動壁とをずれた位置にして軸筒の前方を閉じる構造が記載されている。この引用文献２の構造は、外部管状ハウジングと内部管状ハウジングとの相対的な回転に伴い、軸筒の内部に収容した筆記ユニットのペン先を軸筒から出没させる構造である。当該構造は、蓋体や当該蓋体を閉塞するバネを必要としないことから、軸筒の前方の内部の空間にゆとりができ、大きなペン体を採用することにも向いている。
しかしながら引用文献２の構造では、ペン先を突出させる時と、ペン先を没入させる時のいずれの場合に、使用者が回転操作を行う必要があり、特に使用後にペン先を没入させるために回転操作を行うことは使用者が負担を感じることとなり、回転操作を行うことなく自動でペン先の没入を行うことができるが回転出没式万年筆が求められている。
【先行技術文献】
【特許文献】
【０００５】
【特許文献１】特開２００７−３２０２０９号公報
【特許文献２】特開２００６−１０３３３３号公報
【発明の概要】
【発明が解決しようとする課題】
【０００６】
本件発明者は、回転操作によりペン先を突出させる回転出没式万年筆が、その高級感の向上に効果的であることを知見し、その高級感の向上に好適な大きなペン体の採用を可能とし、且つ回転操作を行うことなくペン先の没入を行うことができる回転出没式万年筆を得ることを目的とした。
【課題を解決するための手段】
【０００７】
本発明は、
「軸筒本体の前方より筆記体のペン先が出没する回転出没式万年筆であって、
軸筒本体の後方部に操作部である尾冠を配して軸筒を構成し、
前記軸筒本体が、前方に底面を有する有底筒形状の前軸部材と前方に底面を有する回転筒とを備え、当該前軸部材の底面と当該回転筒の底面とが隣接し、当該前軸部材の底面と当該回転筒の底面とに窓部がそれぞれ設けられ、且つ当該回転筒の側面には、螺旋溝と、その前方で連接させた軸心に沿って延びる直線溝とからなる摺動溝が設けられ、当該摺動溝に前記筆記体に設けた摺動突起が遊嵌され、前記筆記体に設けたガイド突起を軸筒本体の内面に形成したスライド溝へ遊嵌させて当該筆記体を回転不能で前後動可能にし、
前記尾冠が内部に螺旋状のカム溝を有し、且つ該尾冠と一体で回転可能に当該尾冠へ装着したカム筒を配し、前記カム筒の内部に前記カム溝と前記尾冠に形成した軸心に沿った方向のスリットとに遊嵌するカム突起を有した押圧体を配し、前記押圧体を前記軸筒本体内に配設した弾性体により前記筆記体を介して後方へ弾発し、
前記尾冠を回転操作して前記カム筒を回転させることにより、前記カム突起を前記カム溝および前記スリットにて前進させると共に、前記押圧体の前方部に当接した筆記体を前記弾性体の弾発力に抗して前進させ、同時に前進された当該筆記体の摺動突起に摺動する摺動溝の螺旋溝により前記回転筒を回転させ、当該回転筒の窓部の前方に前記前軸部材の底面が位置して前記軸筒本体の前方が閉塞された状態から、当該回転筒の窓部の前方に当該前軸部材の窓部が位置して当該軸筒本体の前方が開放された状態とし、前記尾冠のさらなる回転により、当該筆記体の摺動突起に摺動する摺動溝の直線溝により前記回転筒を回転させることなく、当該筆記体を前進させて前記ペン先を当該回転筒の窓部および当該前軸部材の窓部より突出させ、前記押圧体のカム突起を前記カム筒のカム溝に設けた保持溝へ係止させることにより、当該ペン先を当該軸筒本体から突出させた状態を維持する構造の回転出没式万年筆。」である。
【発明の効果】
【０００８】
本発明によれば、大きなペン体の採用を可能とし、且つ回転操作を行うことなくペン先の没入を行うことができる回転出没式万年筆を得ることができる。
【図面の簡単な説明】
【０００９】
【図１】本実施例の回転出没式万年筆の断面図である。
【図２】回転出没式万年筆の回転操作時における要部を模式的に示した図であり、図１と同じ状態を示す図である。
【図３】回転出没式万年筆の回転操作時における要部を模式的に示した図であり、図２の状態から進行した状態を示す図である。
【図４】回転出没式万年筆の回転操作時における要部を模式的に示した図であり、図３の状態から進行した状態を示す図である。
【図５】回転出没式万年筆の回転操作時における要部を模式的に示した図であり、図４の状態から進行した状態を示す図である。
【発明を実施するための形態】
【００１０】
図１は本実施例の回転出没式万年筆の縦断面図である。本実施例の回転出没式万年筆１は、軸筒本体２の後方部に回転操作部となる尾冠３を配設して軸筒４としている。軸筒本体２は、螺合により連結した前部内筒５と後部内筒６とに、前軸部材７と後軸部材８とをそれぞれ被着して構成されている。後軸部材８は前後が開口している。前軸部材７は有底形状であり底面７ａが前方に位置しており、底面７ａには半円形状の窓部７ｂを設けてある。
前部内筒５の前方部には中空パイプ９を装着してあり、中空パイプ９及び前部内筒５の内部には回転筒１０を回転可能に配設してある。
【００１１】
前記回転筒１０は有底形状であり底面１０ａが前方に位置しており、底面１０ａには半円形状の窓部１０ｂを設けてある。また回転筒１０の側面１０ｃには、螺旋溝１０ｄと、その前方に連接した軸心に沿って延びる直線溝１０ｅとからなる摺動溝１０ｆを設けてある。本実施例では、摺動溝１０ｆを軸対称に二つずつ設けてある。
図１に示す回転出没式万年筆１は、前軸部材７の底面７ａと回転筒１０の底面１０ａとが隣接しており、前軸部材７の半円形状の窓部７ｂと回転筒１０の半円形状の窓部１０ｂとが１８０度反対の位置関係にあり、回転筒１０の窓部１０ｂが前軸部材７の底面７ａによって塞がれた状態である。
【００１２】
軸筒本体２の内部には万年筆構造である筆記体１１を配設してある。筆記体１１は、筆記体本体１１ａの前方にペン体のペン先１１ｂを有し、後方部に万年筆用インキを収容したインキカートリッジ１１ｃを具備している。また、筆記体本体１１ａの中間部に形成した段部１１ｄと前記前部内筒５に形成した段部５ａとの間には、コイルスプリング１２を配設して、筆記体１１を常時後方へ弾発する構造としてあり、筆記体本体１１ａに設けたガイド突起１１ｅを前部内筒５の内面に形成したスライド溝５ｂへ遊嵌させて、筆記体１１が回転することなく前後動できるようにしてある。
【００１３】
前記回転筒１０に設けた二つの摺動溝１０ｆには、前記筆記体１１の前方に設けた二つの摺動突起１１ｆをそれぞれ遊嵌させており、筆記体１１が前後動することで、摺動突起１１ｆと前記螺旋溝１０ｄとが摺動して回転筒１０が回転し、前記前軸部材７の半円形状の窓部７ｂと回転筒１０の半円形状の窓部１０ｂとが一致して回転筒１０の窓部７ｂを解放することができるようにしてある。
【００１４】
後部内筒６の後端に形成した雄螺子部６ａには、円筒状の尾冠内筒１４の雌螺子部１４ａを螺合してある。その尾冠内筒１４の内部には螺旋状のカム溝１３ａを有し前記尾冠３の雌螺子部３ａに雄螺子部１３ｂを螺合させて当該尾冠３と一体で回転するカム筒１３を配設してある。そのカム筒１３の内部には押圧体１５を配設してある。押圧体１５の側面にはカム突起１５ａを設けてあり、当該カム突起１５ａは前記カム溝１３ａに遊嵌すると共に、前記尾冠内筒１４に形成した軸心に沿った方向に延びるスリット１４ｂへも遊嵌している。本実施例では、カム溝１３ａおよびスリット１４ｂを軸対称に二つずつ設けてあり、カム突起１５ａもそれらに対応させて二つずつ設けてある。
【００１５】
押圧体１５の前端部には、径を大きくしたフランジ１５ｂを設けてあり、当該フランジ１５ｂに前記筆記体１１のインキカートリッジ１１ｃの後端を当接させている。前記コイルスプリング１２は、筆記体１１と共に押圧体１５も常時後方へ弾発しており、フランジ１５ｂの後部に装着したゴム製のＯリング１６を、後部内筒６の内面に形成した内段６ｂへ当接させている。
したがって、図１に示すように、本実施例の回転出没式万年筆１はペン先１１ｂが軸筒本体２内に没入した状態では、軸筒本体２の前方部においては、回転筒１０の窓部１０ｂが前軸部材７の底面７ａで塞がれた状態であり、軸筒本体２の後方部においては、Ｏリング１６が内段６ｂに当接することにより気密性を確保し、軸筒本体２の内部が密閉され、筆記体１１のインキの乾燥防止を行える。
【００１６】
次に、本実施例の回転出没式万年筆の尾冠を回転操作して筆記体の筆記先端部を軸筒本体から突出させる回転操作時の説明をする。図２〜図５は、回転出没式万年筆の回転操作時における要部を模式的に示した図である。
図２は図１と同じ状態を示す図であり、図３は図２の状態から進行した状態を示す図であり、図４は図３の状態から進行した状態を示す図であり、図５は図４の状態から進行した状態を示す図である。
各図においてＡを付した図（図２Ａ、図３Ａ、図４Ａ、図５Ａ）は、回転出没式万年筆の前方部を示す図である。
また、各図においてＢを付した図（図２Ｂ、図３Ｂ、図４Ｂ、図５Ｂ）は、カム筒（展開図）のカム溝とカム突起との関係を示す図である。
また、各図においてＣを付した図（図２Ｃ、図３Ｃ、図４Ｃ、図５Ｃ）は、回転筒（展開図）の摺動溝と摺動突起との関係を示す図である。
また、各図においてＤを付した図（図２Ｄ、図３Ｄ、図４Ｄ、図５Ｄ）は、前軸部材の前端面を前から見た図である。
また、各図においてＥを付した図（図２Ｅ、図３Ｅ、図４Ｅ、図５Ｅ）は、回転筒の前端面を前から見た図である。
【００１７】
図２の状態の回転出没式万年筆１は、筆記体１１のペン先１１ｂが軸筒本体２内で待機した状態にあり、カム突起１５ａがカム筒１３のカム溝１３ａの最後端１３ａ１に位置し、摺動突起１１ｆが回転筒１０の摺動溝１０ｆの最後端１０ｆ１に位置している。前述の通り、この状態では、前軸部材７の半円形状の窓部７ｂと回転筒１０の半円形状の窓部１０ｂとが１８０度反対の位置関係にあり、回転筒１０の窓部１０ｂが前軸部材７の底面７ａで塞がれた状態で、軸筒本体２内の気密性が確保されている。
【００１８】
図３の状態の回転出没式万年筆１は、筆記体１１のペン先１１ｂが軸筒本体２内で少し前進した状態にあり、カム突起１５ａがカム溝１３ａの第一中間点１３ａ２に位置し、摺動突起１１ｆが回転筒１０の螺旋溝１０ｄの中央１０ｆ２に位置している。この状態では、前軸部材７の半円形状の窓部７ｂと回転筒１０の半円形状の窓部１０ｂとが９０度の位置関係にあり、回転筒１０の窓部１０ｂが前軸部材７の底面７ａで半分塞がれた状態である。
図２の状態から図３の状態へ進行する際、コイルスプリング１２は圧縮され、スライド溝５ｂへ遊嵌されたガイド突起１１ｅにより回転が規制された筆記体１１は回動することなく前進して、螺旋溝１０ｄを摺動する筆記体１１の摺動突起１１ｆによって回転筒１０が回転される。
【００１９】
図４の状態の回転出没式万年筆１は、筆記体１１のペン先１１ｂが軸筒本体２内で前進した状態にあり、カム突起１５ａがカム溝１３ａの第二中間点１３ａ３に位置し、摺動突起１１ｆが回転筒１０の直線溝１０ｅと螺旋溝１０ｄとの交点１０ｆ３に位置している。この状態では、前軸部材７の半円形状の窓部７ｂと回転筒１０の半円形状の窓部１０ｂとが一致して回転筒１０の窓部１０ｂが解放された状態である。
図３の状態から図４の状態へ進行する際、コイルスプリング１２は更に圧縮され、スライド溝５ｂへ遊嵌されたガイド突起１１ｅにより回転が規制された筆記体１１は回動することなく前進して、螺旋溝１０ｄを摺動する筆記体１１の摺動突起１１ｆによって回転筒１０が更に回転される。
【００２０】
図５の状態の回転出没式万年筆１は、筆記体１１のペン先１１ｂが軸筒本体２から突出した状態にあり、カム突起１５ａがカム溝１３ａの最前端に形成した後方へ凹む保持溝１３ａ４へ係止され、摺動突起１１ｆが回転筒１０の直線溝１０ｅの最前端１０ｆ４に位置している。
図４の状態から図５の状態へ進行する際、コイルスプリング１２は更に圧縮され、スライド溝５ｂへ遊嵌されたガイド突起１１ｅにより回転が規制された筆記体１１は回動することなく前進し、直線溝１０ｅを摺動する筆記体１１の摺動突起１１ｆは回転筒１０を回動させることがないことから、ペン先１１ｂが回転筒１０の底面１０ａに干渉することなく、筆記体１１のペン先１１ｂを軸筒本体２から突出させることができる。したがって、前軸部材７の半円形状の窓部７ｂおよび回転筒１０の半円形状の窓部１０ｂは、筆記体１１のペン先１１ｂが挿通できるだけの大きさで設ければよいことから気密性の点で優れ、また従来構造と異なり、軸筒本体２の前方に蓋体やそれを閉塞させるバネを必要としないことからスペースの点でも優れ、大型のペン体の採用も可能となる。
【００２１】
本実施例の回転出没式万年筆１は，図５の状態の尾冠３を先ほどと逆方向に少し回転させることによって、保持溝１３ａ４へ係止されたカム突起１５ａの係止状態が解かれ、筆記体１１が軸筒本体２の後方へ後退するようコイルスプリング１２の弾発力が働き、筆記体１１が回転筒１０およびカム筒１３を逆回転させながら、図２に示すようにペン先１１ｂを自動で没入させ、回転筒１０の窓部１０ｂを前軸部材７の底面１０ａで塞いだ状態に戻して、軸筒本体２内の気密性を確保することができる。
【００２２】
本実施例のカム筒１３のカム溝１３ａの角度は軸心に対して４５度傾斜するよう形成してあり、回転筒１０の螺旋溝１０ｄの角度は軸心に沿った方向に対して６３．６５度傾斜するよう形成してあるが、カム溝１３ａおよび螺旋溝１０ｄの角度は限定されるものではない。
カム溝１３ａを急な角度（軸心に沿った方向と近い角度）にした場合には、尾冠３を回転させた際に筆記体１１が前進する距離が大きくなることから、尾冠３の少ない回転操作で、筆記体１１のペン先１１ｂを軸筒本体２から突出させることができるものとなる。
カム溝１３ａを緩やかな角度（軸心に沿った方向と遠い角度）にした場合には、尾冠３を回転させる際に必要となる回転力を小さくすることができる。
本実施例では、カム溝１３ａと摺動１０ｆとの関係を、軸筒本体２に対し尾冠３を一回転（３６０度）させることで、筆記体１１のペン先１１ｂが軸筒本体２から突出するようにしてあることから、筆記体１１を常に後方へ弾発するコイルスプリング１２の力が働く本件発明の構造においては、軸筒本体２や尾冠３の持ち替えを必要せず操作性に優れており、操作性を考慮すると軸筒本体２と尾冠３との相対的な回転角度は４５０度以下でペン先１１ｂが突出するよう設定することが好ましい。
また、本実施例におけるカム筒１３は、軸筒本体２を細く形成するために筆記体１１の後方に設けてあるが、カム筒３のカム溝１３ａの傾斜角度を２５〜６５度の範囲に、且つ回転筒１０の螺旋溝１０ｄの傾斜角度をカム溝１３ａの傾斜角度より大きく設定することにより、尾冠３をコンパクトな長さにしながらも、筆記体を前進させるストローク量が得られ、大きなペン体の採用が可能となる。
【符号の説明】
【００２３】
１…回転出没式万年筆、
２…軸筒本体、
３…尾冠、３ａ…雌螺子部、
４…軸筒、
５…前部内筒、５ａ…段部、５ｂ…スライド溝、
６…後部内筒、６ａ…雄螺子部、６ｂ…内段、
７…前軸部材、７ａ…底面、７ｂ…半円形状の窓部、
８…後軸部材、
９…中空パイプ、
１０…回転筒、１０ａ…底面、１０ｂ…半円形状の窓部、１０ｃ…側面、１０ｄ…螺旋溝、１０ｅ…直線溝、１０ｆ…摺動溝、１０ｆ１…最後端、１０ｆ２…中央、１０ｆ３…交点、
１０ｆ４…最前端、
１１…筆記体、１１ａ…筆記体本体、１１ｂ…ペン先、１１ｃ…インキカートリッジ、１１ｄ…段部、１１ｅ…ガイド突起、１１ｆ…摺動突起、
１２…コイルスプリング、
１３…カム筒、１３ａ…カム溝、１３ａ１…最後端、１３ａ２…第一中間点、１３ａ３…第二中間点、１３ａ４…保持溝、１３ｂ…雄螺子部、
１４…尾冠内筒、１４ａ…雌螺子部、１４ｂ…スリット、
１５…押圧体、１５ａ…カム突起、１５ｂ…フランジ、
１６…Ｏリング。
【図１】
2018099794.tif 000003
【図２】
2018099794.tif 000004
【図３】
2018099794.tif 000005
【図４】
2018099794.tif 000006
【図５】
2018099794.tif 000007